(57)【特許請求の範囲】
【請求項１】
端子金具を収容する端子収容室を備えたコネクタハウジングと、
前記端子金具に取り付けられた電線を通す孔が設けられたシール部材と、
前記コネクタハウジングに取り付けられて、前記シール部材を前記コネクタハウジングとの間に挟んで、該シール部材に前記端子収容室内に液体が浸入することを阻止させる固定部材と、
前記コネクタハウジングの外表面に取り付けられる取付部材と、を備えたコネクタにおいて、
前記固定部材と前記取付部材とが連結部によって互いに連結された格好で成型されて、前記取付部材が前記コネクタハウジングの外表面に取り付けられ、前記端子収容室内に電線付きの端子金具が収容され、導通検査用の治具にセットされて、導通検査が施された後に、該導通検査用の治具によって、前記固定部材が前記コネクタハウジングに押し付けられて前記連結部が破断されて、前記固定部材がコネクタハウジングに取り付けられることで組み立てられたことを特徴とするコネクタ。
【請求項２】
端子金具を収容する端子収容室を備えたコネクタハウジングと、
前記端子金具に取り付けられた電線を通す孔が設けられたシール部材と、
前記コネクタハウジングに取り付けられて、前記シール部材を前記コネクタハウジングとの間に挟んで、該シール部材に前記端子収容室内に液体が浸入することを阻止させる固定部材と、
前記コネクタハウジングの外表面に取り付けられる取付部材と、を備えたコネクタの組立方法において、
前記固定部材と前記取付部材とを連結部によって互いに連結された格好で成型して、前記取付部材を前記コネクタハウジングの外表面に取り付け、前記端子収容室内に電線付きの端子金具を収容し、導通検査用の治具にセットして、導通検査を施された後に、該導通検査用の治具によって、前記固定部材を前記コネクタハウジングに押し付けて前記連結部を破断して前記固定部材をコネクタハウジングに取り付けることを特徴とするコネクタの組立方法。
【発明の詳細な説明】
【技術分野】
【０００１】
本発明は、電線の接続等に使用されるコネクタに関する。
【背景技術】
【０００２】
移動体としての自動車には、多種多様な電子機器が搭載される。前記自動車は、前記電子機器に電力や制御信号などを伝えるために、ワイヤハーネスを配索している。ワイヤハーネスは、複数の電線と、コネクタとを備えている。電線は、導電性の芯線と、該芯線を被覆する絶縁性の被覆部と、を備えた所謂被覆電線である。
【０００３】
前述したコネクタとして、例えば、特許文献１に示されたコネクタが用いられる。前述したコネクタは、端子金具を収容する端子収容室を備えたコネクタハウジングと、該コネクタハウジングの端子収容室内への液体の浸入を阻止するシール部材と、前記コネクタハウジングとの間に前記シール部材を挟み込んで該コネクタハウジングに取り付けられる固定部材と、前記コネクタハウジングの外表面にスライド自在に取り付けられた取付部材とを備えている。
【０００４】
コネクタハウジングは、相手側のコネクタと嵌合するためのロックアームを備えている。
【０００５】
シール部材は、塑性変形を除く各種の変形（弾性変形及び弾性を伴わない変形など）が自在でかつ板状に形成されている。シール部材は、前述した端子金具に取り付けられた電線を通す孔が複数設けられている。シール部材は、孔内に端子金具に取り付けられた電線を通して、該コネクタハウジングに取り付けられる。
【０００６】
固定部材は、例えば厚手の平板状に形成されており、前記コネクタハウジングとの間に厚みが薄くなる方向に圧縮した状態でシール部材を挟み込む。固定部材は、前記コネクタハウジングとの間にシール部材を挟み込んで、該コネクタハウジングに取り付けられる。
【０００７】
取付部材は、筒状に形成されて、内側にコネクタハウジングを通した状態で、該コネクタハウジングにスライド自在に取り付けられている。取付部材には、スライドすることで、前述したロックアームをロック解除位置に向けて押圧可能な押圧部が設けられている。
【０００８】
前述した特許文献１に示されたコネクタは、取付部材をスライドさせてロックアームのロックの解除を可能とすることで、ロックアームのロックを解除するための操作部を設ける必要をなくすことで、小型化を図ることを可能としている。
【特許文献１】特願２００５−０２８９３７号
【発明の開示】
【発明が解決しようとする課題】
【０００９】
前述した特許文献１に示されたコネクタは、シール部材の弾性復元力に抗して、該シール部材を固定部材で押圧して、該固定部材をコネクタハウジングに組み付けて、組み立てられてきた。このため、シール部材の弾性復元力によって、固定部材をスムーズにコネクタハウジングに取り付けることが困難であった。このように、前述した特許文献１に示されたコネクタは、組立が容易ではなかった。
【００１０】
したがって、本発明の目的は、組立を容易にすることができるコネクタ及び該コネクタの組立方法を提供することにある。
【課題を解決するための手段】
【００１１】
前述した課題を解決し目的を達成するために、請求項１に記載の本発明のコネクタは、端子金具を収容する端子収容室を備えたコネクタハウジングと、前記端子金具に取り付けられた電線を通す孔が設けられたシール部材と、前記コネクタハウジングに取り付けられて、前記シール部材を前記コネクタハウジングとの間に挟んで、該シール部材に前記端子収容室内に液体が浸入することを阻止させる固定部材と、前記コネクタハウジングの外表面に取り付けられる取付部材と、を備えたコネクタにおいて、前記固定部材と前記取付部材とが連結部によって互いに連結された格好で成型されて、前記取付部材が前記コネクタハウジングの外表面に取り付けられ、前記端子収容室内に電線付きの端子金具が収容され、導通検査用の治具にセットされて、導通検査が施された後に、該導通検査用の治具によって、前記固定部材が前記コネクタハウジングに押し付けられて前記連結部が破断されて、前記固定部材がコネクタハウジングに取り付けられることで組み立てられたことを特徴としている。
【００１２】
請求項２に記載の本発明のコネクタの組立方法は、端子金具を収容する端子収容室を備えたコネクタハウジングと、前記端子金具に取り付けられた電線を通す孔が設けられたシール部材と、前記コネクタハウジングに取り付けられて、前記シール部材を前記コネクタハウジングとの間に挟んで、該シール部材に前記端子収容室内に液体が浸入することを阻止させる固定部材と、前記コネクタハウジングの外表面に取り付けられる取付部材と、を備えたコネクタの組立方法において、前記固定部材と前記取付部材とを連結部によって互いに連結された格好で成型して、前記取付部材を前記コネクタハウジングの外表面に取り付け、前記端子収容室内に電線付きの端子金具を収容し、導通検査用の治具にセットして、導通検査を施された後に、該導通検査用の治具によって、前記固定部材を前記コネクタハウジングに押し付けて前記連結部を破断して前記固定部材をコネクタハウジングに取り付けることを特徴としている。
【００１３】
本発明のコネクタによれば、固定部材と連結部によって連なった取付部材をコネクタハウジングに取り付けるので、該固定部材が位置決めされる。
【００１４】
コネクタハウジングを導通検査用の治具にセットして、導通検査後に固定部材を押圧するので、固定部材を正規の位置に固定する工程を導通検査を施す工程で行うことができる。
【発明の効果】
【００１５】
以上説明したように、本発明は、取付部材をコネクタハウジングに取り付けると、固定部材が位置決めされて、該固定部材が連結部によって取付部材と連なっている。このため、固定部材をコネクタハウジングに向かって押圧すると、シール部材の弾性復元力が作用しても、該固定部材がコネクタハウジングに対して位置ずれすることを防止できる。したがって、固定部材を容易にコネクタハウジングに取り付けることができ、コネクタを容易に組み立てることができる。
【００１６】
固定部材を正規の位置に固定する工程を導通検査を施す工程で行うことができるので、コネクタを組み立てるための工程が増えることを抑制できる。
【発明を実施するための最良の形態】
【００１７】
本発明の一実施形態にかかるコネクタを、図１ないし図１０を参照して説明する。コネクタ１は、図３及び図４に示す相手側のコネクタ２と嵌合する。
【００１８】
相手側のコネクタ２は、図２ないし図４に示すように、コネクタハウジング４と、雄型の端子金具（以下、単に雄端子と呼ぶ）３と、図示しないマットシールと、シール固定部材５とを備えている。
【００１９】
コネクタハウジング４は、絶縁性の合成樹脂で構成され、かつ、雄端子３を収容する端子収容室６が複数設けられた本体部７と、該本体部７に連なった筒状のフード部８とを備えている。フード部８の外表面には、ロック突起９が設けられている。
【００２０】
雄端子３は、導電性の板金などで構成されている。雄端子３は、棒状の電気接触部１０と、該電気接触部１０に連なる電線接続部とを備えている。電線接続部には、電線が取り付けられる。雄端子３は、電線の芯線と電気的に接続される。雄端子３は、電気接触部１０の先端部がフード部８内に位置した状態で、端子収容室６内に収容されて、前述したコネクタハウジング４に取り付けられる。
【００２１】
マットシールは、ゴムなどの弾性変形自在な弾性材料で構成されており、平板状に形成されている。マットシールには、前述した雄端子３に取り付けられた電線を通す孔が複数設けられている。孔の内径は、マットシールが弾性変形していない状態で、前述した電線の外径より大きい。マットシールは、コネクタハウジング４の本体部７のコネクタ１から離れた側の端面に重ねられる。
【００２２】
シール固定部材５は、合成樹脂で構成され、厚手の平板状に形成されている。シール固定部材５には、前述した電線を通す通し孔が複数設けられている。シール固定部材５は、コネクタハウジング４の本体部７のコネクタ１から離れた側の端部に取り付けられる。シール固定部材５は、コネクタハウジング４の本体部７との間にマットシールを挟みこむ。シール固定部材５とコネクタハウジング４の本体部７との間に挟み込まれると、マットシールは、厚みが薄くなる方向に弾性変形してコネクタハウジング４と密着するとともに、孔の内径が縮小する方向に弾性変形して電線の外表面と密着する。マットシールは、コネクタハウジング４との間と電線との間を水密に保って、これらの間から端子収容室６内即ち相手側のコネクタ２内に水などの液体が浸入することを阻止する。
【００２３】
前述した相手側のコネクタ２は、端子収容室６内に電線付きの雄端子３を収容して、該雄端子３をコネクタハウジング４に取り付けるとともに、マットシールが本体部７に重ねられた後、シール固定部材５がマットシールを本体部７に向かって押圧して、該シール固定部材５がコネクタハウジング４に固定されて組み立てられる。
【００２４】
コネクタ１は、図１ないし図４に示すように、コネクタハウジング１１と、環状シール１２と、雌型の端子金具（以下、雌端子と呼ぶ）１３と、シール部材としてのマットシール１４と、固定部材としてのインナカバー１５と、取付部材としてのアウタカバー１６とを備えている。
【００２５】
コネクタハウジング１１は、絶縁性の合成樹脂で構成され、本体部１７と、筒状部１８と、外側フランジ１９と、ロックアーム２０と、を備えている。本体部１７は、箱状に形成されている。本体部１７は、前述した雌端子１３を収容する端子収容室２１を複数備えている。
【００２６】
端子収容室２１は、本体部１７内に設けられた直線状の空間であり、両端が本体部１７即ちコネクタハウジング１１の外表面に開口している。複数の端子収容室２１は、互いに平行に配置されている。本体部１７即ちコネクタハウジング１１は、ロックアーム２０がロック突起９に係合して、コネクタ１，２同士が嵌合すると、相手側のコネクタ２のフード部８内に侵入する。
【００２７】
筒状部１８は、矩形筒状に形成されており、本体部１７の外壁に連なっている。外側フランジ１９は、外側突出部２２と、平行部２３とを備えている。外側突出部２２は、本体部１７の筒状部１８寄りの端部からコネクタハウジング１１の外側に突出している。外側突出部２２は、本体部１７の略半周に亘って設けられている。平行部２３は、外側突出部２２の本体部１７から離れた側の端部に連なり、本体部１７内の端子収容室２１と平行に伸びている。平行部２３は、外側突出部２２から本体部１７即ち相手側のコネクタ２に向かって延在している。
【００２８】
ロックアーム２０は、一端部が前述した本体部１７の筒状部１８寄りの端部に連なりかつ他端部が自由端の片持ちはり状に形成されている。ロックアーム２０は、前述した一端部から相手側のコネクタ２に向かって延在している。ロックアーム２０には、前述したロック突起９が侵入可能なロック孔２４が設けられている。前述したロックアーム２０は、前述したロック突起９に当接して、ロック突起９上に乗り上げるように弾性変形した後、ロック突起９を乗り越えて中立状態に復帰する。そして、ロックアーム２０は、ロック孔２４内にロック突起９を位置付けて、該ロック突起９と係合する。こうして、ロックアーム２０は、ロック突起９と嵌合して、コネクタ１，２同士を固定する。
【００２９】
また、コネクタハウジング１１の筒状部１８の外表面には、アウタカバー１６のコネクタハウジング１１からの脱落を防止する脱落規制突起２５が設けられている。脱落規制突起２５は、勿論、コネクタハウジング１１の筒状部１８の外表面から凸に形成されている。さらに、コネクタハウジング１１の筒状部１８には、インナカバー１５の後述する係止突起３３が係止する孔２６が設けられている。孔２６は、勿論、コネクタハウジング１１の筒状部１８を貫通している。
【００３０】
環状シール１２は、ゴムなどの弾性材料で構成され、輪状に形成されている。環状シール１２は、コネクタハウジング１１の本体部１７が内側に通されて、該本体部１７と外側フランジ１９の平行部２３との間に配置される。環状シール１２は、コネクタハウジング１１の本体部１７の全周に取り付けられている。環状シール１２には、平行部２３即ちコネクタ１の外側に向かって凸のリップ２７が２つ設けられている。リップ２７は、環状シール１２即ちコネクタ１の全周に亘って設けられている。環状シール１２は、コネクタ１，２同士が嵌合すると、リップ２７が相手側のコネクタ２のコネクタハウジング４に当接して、該相手側のコネクタ２のコネクタハウジング４との間を水密に保つ。
【００３１】
雌端子１３は、導電性の板金を折り曲げるなどして構成されている。雌端子１３は、筒状の電気接触部２８と、該電気接触部２８に連なる電線接続部２９とを一体に備えて、直線状に延在している。電気接触部２８は、内側に前述した雄端子３の電気接触部１０が侵入して、該電気接触部１０即ち雄端子３と電気的及び機械的に接続する。電線接続部２９には、電線３０が取り付けられて、該電線３０の芯線と電気的に接続する。雌端子１３は、電線３０と雄端子３とを電気的に接続する。
【００３２】
マットシール１４は、ゴムなどの弾性変形自在な弾性材料で構成されており、平板状に形成されている。マットシール１４には、前述した雌端子１３に取り付けられた電線３０を通す孔３１が複数設けられている。孔３１の内径は、マットシール１４が弾性変形していない状態で、前述した電線３０の外径より大きい。マットシール１４は、コネクタハウジング１１の本体部１７の相手側のコネクタ２から離れた側の端面に重ねられる。
【００３３】
インナカバー１５は、合成樹脂で構成され、厚手の平板状に形成されている。インナカバー１５には、前述した電線３０を通す通し孔３２が複数設けられている。また、インナカバー１５には、複数の係止突起３３が設けられている。係止突起３３は、インナカバー１５の外周面から凸に形成されている。係止突起３３は、前述した孔２６に係止する。
【００３４】
インナカバー１５は、係止突起３３が孔２６に係止して、コネクタハウジング１１の筒状部１８内に取り付けられる。インナカバー１５は、コネクタハウジング１１の本体部１７との間にマットシール１４を挟みこむ。インナカバー１５とコネクタハウジング１１の本体部１７との間に挟み込まれると、マットシール１４は、厚みが薄くなる方向に弾性変形してコネクタハウジング１１の本体部１７の筒状部１８との双方と密着するとともに、孔３１の内径が縮小する方向に弾性変形して電線３０の外表面と密着する。
【００３５】
マットシール１４は、コネクタハウジング１１との間と電線との間を水密に保って、これらの間から端子収容室２１内即コネクタ１内に水などの液体が浸入することを阻止する。このように、インナカバー１５は、コネクタハウジング１１に取り付けられて、マットシール１４をコネクタハウジング１１との間に挟んで、マットシール１４に端子収容室内２１に液体が浸入することを阻止させる。
【００３６】
アウタカバー１６は、合成樹脂で構成され、かつ筒状に形成されている。アウタカバー１６は、内側にコネクタハウジング１１を位置付けて、該コネクタハウジング１１に取り付けられている。アウタカバー１６は、コネクタハウジング１１の相手側のコネクタ２から離れた側の端部即ち筒状部１８の外周に取り付けられている。また、アウタカバー１６は、コネクタハウジング１１にコネクタ１，２同士の嵌合方向Ｋ（図１中に矢印で示す）に沿ってスライド自在に支持されている。
【００３７】
なお、嵌合方向Ｋとは、コネクタ１，２同士が嵌合する際に、これらのコネクタ１，２のコネクタハウジング４，１１同士が近づく方向をなしている。即ち、嵌合方向Ｋは、図示例では、雄端子３と、雌端子１３と、これらの端子３，１３に取り付けられる電線３０との全てと平行である。
【００３８】
また、アウタカバー１６は、相手側のコネクタ２寄りの端部に切欠き３４を設けている。切欠き３４は、前述したロックアーム２０を内側に位置付けている。切欠き３４は、前述したロックアーム２０が弾性変形することを許容する空間である。さらに、切欠き３４の内縁の相手側のコネクタ２寄りの端には、係止解除突起３５が設けられている。
【００３９】
係止解除突起３５は、切欠き３４の内縁から互いに近づく方向に凸に形成されて、ロックアーム２０より相手側のコネクタ２寄りに配置される。また。係止解除突起３５は、前述した嵌合方向Ｋに沿って、ロックアーム２０と並設される。係止解除突起３５には、アウタカバー１６を相手側のコネクタ２から離れる方向にスライドさせると、ロックアーム２０と当接するテーパ面３６が形成されている。テーパ面３６は、係止解除突起３５の相手側のコネクタ２から離れた側の端部に設けられている。テーパ面３６は、相手側のコネクタ２から離れるのにしたがって、徐々にコネクタハウジング１１に近づく方向に、前述した嵌合方向Ｋに対して傾斜している。
【００４０】
係止解除突起３５は、アウタカバー１６を相手側のコネクタ２から離れる方向にスライドさせると、テーパ面３６が前述した方向に傾斜しているので、テーパ面３６上にロックアーム２０の他端部を位置付けて、該他端部がコネクタハウジング１１の外側に向かうように、ロックアーム２０を弾性変形させる。前述した構成のアウタカバー１６は、外側フランジ１９と脱落規制突起２５などとによって、そのスライド範囲が限定されている。即ち、アウタカバー１６は、外側フランジ１９に当接する位置と、脱落規制突起２５に当接する位置との間をスライドする。
【００４１】
前述した構成のコネクタ１は、以下のように、組み立てられる。まず、図２などに示すように、予め、前述したアウタカバー１６内にインナカバー１５が位置する状態で、これらのカバー１５，１６同士が連結部３７によって互いに連結された格好で成型しておく。連結部３７は、両端がカバー１５，１６に連なる棒状に形成されている。次に、コネクタハウジング１１の筒状部１８内にマットシール１４を取り付け、更に連結部３７で連結されているアウタカバー１６とインナカバー１５を筒状部１８に取り付ける。即ち、アウタカバー１６をコネクタハウジング１１の外表面に取り付ける。すると、マットシール１４は本体部１７とインナカバー１５との間に位置する。そして、インナカバー１５の通し孔３２とマットシール１４の孔３１を介して、端子収容室２１内に電線３０付きの雌端子１３を収容して、該雌端子１３をコネクタハウジング１１に取り付ける。
【００４２】
その後、前述したコネクタハウジング１１即ちコネクタ１を導通検査用の治具（図６に示す）３８にセットする。
【００４３】
導通検査用の治具３８は、図６に示すように、台などの上に設置される基部４６と、操作レバー３９と、導通検査部４０と、図示しないリンクと、コネクタ受け部４１と、押圧部材４２と、を備えている。
【００４４】
基部４６は、矩形状の底板５０と、該底板５０の幅方向の両縁から立設した互いに平行な一対の側壁４３などを備えている。操作レバー３９と、導通検査部４０と、コネクタ受け部４１とは、前記一対の側壁４３間に設けられている。
【００４５】
操作レバー３９は、基部４６の側壁４３の一端部に回転自在に支持されている。導通検査部４０は、基部４６の側壁４３の一端部に設けられている。導通検査部４０は、検査部本体４４と、複数の検査ピン４５と、を備えている。検査部本体４４は、方体状に形成されている。検査部本体４４は、コネクタ受け部４１に近づいたり離れたりする方向にスライド自在（コネクタ受け部４１に接離自在）に、一対の側壁４３間に配されている。このように、検査部本体４４即ち導通検査部４０は、基部４６の長手方向に沿ってスライド自在に設けられている。
【００４６】
検査ピン４５は、検査部本体４４内に埋設されている。検査ピン４５は、コネクタ受け部４１に保持されるコネクタ１の端子収容室２１と同数設けられている。検査ピン４５は、コネクタ受け部４１に向かって付勢されている。検査ピン４５には、電線を介して、導通検査装置と接続している。
【００４７】
リンクは、一端部が操作レバー３９と回転自在に連結しているとともに、他端部が導通検査部４０の検査部本体４４に回転自在に連結している。リンクは、操作レバー３９が回転操作されると、導通検査部４０をコネクタ受け部４１に接離させる。
【００４８】
コネクタ受け部４１は、前記基部４６の側壁４３の中央部に設けられている。コネクタ受け部４１は、端子収容室２１の開口部が、前記操作レバー３９に相対する状態で、前記コネクタ１を保持する。図示例では、コネクタ受け部４１には、鉛直方向に沿ってコネクタ１が出し入れ自在となっている。
【００４９】
また、コネクタ受け部４１は、基部４６の長手方向に沿って、スライド自在に設けられている。コネクタ受け部４１は、側壁４３即ち基部４６の中央部と他端部とに亘ってスライド自在に設けられている。コネクタ受け部４１は、基部４６の一端部に向かって付勢されている。
【００５０】
押圧部材４２は、基部４６の一対の側壁４３の他端部間に配置されており、コ字状の本体部４８と、押圧部４９とを備えている。押圧部材４２は、内側にコネクタ受け部４１に保持されたコネクタ１の電線３０を通す。押圧部４９は、本体部４８の内縁からコネクタ受け部４１に向かって突出している。押圧部４９は、コネクタ受け部４１が押圧部材４２に近づけられると、該コネクタ受け部４１に保持されたコネクタ１のインナカバー１５と当接する。
【００５１】
前述した導通検査用の治具３８にコネクタ１をセットする際には、操作レバー３９を操作して、導通検査部４０を基部４６の最も一端部寄りに位置付けておく。そして、コネクタ受け部４１にコネクタ１をセットした後、操作レバー３９を操作して、導通検査部４０をコネクタ受け部４１に近づける。すると、導通検査部４０の検査ピン４５がコネクタ１内の雌端子１３と接触する。このとき、コネクタ受け部４１は、基部４６に対して移動していない。そして、導通検査装置が、検査ピン４５を介して、雌端子１３に電流を流すことなどによって、該コネクタ１に導通検査を施す。
【００５２】
導通検査において、良品であると判定されると、操作レバー３９を操作して、導通検査部４０とコネクタ受け部４１を押圧部材４２に向かってスライドさせる。すると、図７及び図８に示すように、押圧部材４２の押圧部４９にインナカバー１５が当接する。さらに、操作レバー３９を操作して、導通検査部４０とコネクタ受け部４１を押圧部材４２に向かってスライドさせる。すると、押圧部材４２の押圧部４９によって、インナカバー１５がコネクタハウジング１１の筒状部１８の奥に向かって押圧されて、前述した連結部３７が破断（切断）する。そして、図９及び図１０に示すように、インナカバー１５がコネクタハウジング１１の筒状部１８内に圧入されて、係止突起３３が前述した孔２６に係止して、インナカバー１５が、コネクタハウジング１１に固定される。こうして、前述したコネクタ１は、導通検査が施された後、押圧部材４２即ち導通検査用の治具３８によって、インナカバー１５がコネクタハウジング１１に押し付けられて、連結部３７が破断して、インナカバー１５がコネクタハウジング１１に取り付けられて組み立てられる。
【００５３】
そして、操作レバー３９を操作して、導通検査部４０を基部４６の最も一端部寄りに位置付けて、コネクタ受け部４１からコネクタ１を取り外す。そして、コネクタ１は、図３に示すように、相手側のコネクタ２と嵌合される。そして、コネクタ１は、相手側のコネクタ２との嵌合が解除される際には、アウタカバー１６が相手側のコネクタ２から遠ざけられる。すると、図４及び図５に示すように、係止解除突起３５のテーパ面３６上にロックアーム２０が乗り上げて、該ロックアーム２０のロック突起９に対する係合が解除される。そして、コネクタ１は、相手側のコネクタ２との嵌合が解除される。
【００５４】
本実施形態によれば、インナカバー１５と連結部３７によって連なったアウタカバー１６をコネクタハウジング１１に取り付けるので、アウタカバー１６をコネクタハウジング１１に取り付けると、該インナカバー１５が位置決めされる。このため、インナカバー１５をコネクタハウジング１１に向かって押圧すると、マットシール１４の弾性復元力が作用しても、該インナカバー１５がコネクタハウジング１１に対して位置ずれすることを防止できる。したがって、インナカバー１５を容易にコネクタハウジング１１に取り付けることができ、コネクタ１を容易に組み立てることができる。
【００５５】
また、コネクタハウジング１１を導通検査用の治具３８にセットして、導通検査後にインナカバー１５を押圧するので、インナカバー１５を正規の位置に固定する工程を導通検査を施す工程で行うことができる。このため、コネクタ１を組み立てるための工程が増えることを抑制できる。
【００５６】
前述した実施形態では、アウタカバー１６をスライドさせることで、ロックアーム２０のロック突起９の係合を解除している。しかしながら、本発明では、アウタカバー１６がスライドしても、ロックアーム２０のロック突起９の係合を解除しなくても良い。さらに、シール部材と、固定部材と、取付部材とは、本発明の骨子を逸脱しない範囲で種々の形状にしても良い。
【００５７】
さらに、本発明では、導通検査部４０の検査結果に基づいて、インナカバー１５を押し込む押し込み部を導通検査用の治具３８のコネクタ受け部４１の後方（導通検査部４０から離れた側）に設け、前述した検査結果に基づき押し込み部が自動的にインナカバー１５を押し込むようにしても良い。また、コネクタ受け部４１のスライドを導通検査位置で一旦停止させるとともに検査結果に基づいてその停止の解除を行ってインナカバー１５が押し込まれるようにするストッパ機構などを設けても良い。
【００５８】
なお、前述した実施形態は本発明の代表的な形態を示したに過ぎず、本発明は、実施形態に限定されるものではない。即ち、本発明の骨子を逸脱しない範囲で種々変形して実施することができる。
【図面の簡単な説明】
【００５９】
【図１】本発明の一実施形態にかかるコネクタを示す斜視図である。
【図２】図１に示されたコネクタの分解斜視図である。
【図３】図１に示されたコネクタが相手側のコネクタと嵌合した状態を示す断面図である。
【図４】図３に示されたコネクタのアウタカバーをスライドさせた状態を示す断面図である。
【図５】図４中のＶ部を拡大して示す断面図である。
【図６】図１に示されたコネクタの導通検査に用いられる導通検査用の治具を示す斜視図である。
【図７】図６に示された導通検査用の治具にセットされて押圧部材がインナカバーに当接したコネクタの断面図である。
【図８】図７中のＶＩＩＩ部を拡大して示す断面図である。
【図９】図７に示された押圧部材がインナカバーを圧入して連結部を破断したコネクタの断面図である。
【図１０】図９中のＸ部を拡大して示す断面図である。
【符号の説明】
【００６０】
１  コネクタ
１１  コネクタハウジング
１３  雌端子（端子金具）
１４  マットシール（シール部材）
１５  インナカバー（固定部材）
１６  アウタカバー（取付部材）
２１  端子収容室
３０  電線
３１  孔
３７  連結部
３８  導通検査用の治具
【図１】
0004464898.tif 000002
【図２】
0004464898.tif 000003
【図３】
0004464898.tif 000004
【図４】
0004464898.tif 000005
【図５】
0004464898.tif 000006
【図６】
0004464898.tif 000007
【図７】
0004464898.tif 000008
【図８】
0004464898.tif 000009
【図９】
0004464898.tif 000010
【図１０】
0004464898.tif 000011